(57)【要約】【課題】結束線等を一切使用しないで、筒状に巻いた網体の両側端を簡単に接合できるように工夫した合成樹脂製の筒状網体を提供する。【解決手段】合成樹脂の縦糸１と横糸２がその交点で融着された網体Ｎを筒状に巻いて、網体Ｎの重なった両側端を接合してなる筒状網体であって、網体Ｎの一側端の縦糸１ｃを部分的に切断して横Ｔ字状又は十字状の係止部４を形成し、この係止部４を網体Ｎの他側端の網目３に係止させて、網体Ｎの両側端を接合した構成の筒状網体とする。係止部４を網目３に係止させるだけで、結束線等を一切使用することなく、簡単に網体Ｎの両側端を接合して筒状網体とすることができ、係止部４の形成も縦糸１ｃの切断により極く簡単に行うことができる。【選択図】  図１
2004154065.tif 000002
【特許請求の範囲】
【請求項１】
合成樹脂の縦糸と横糸がその交点で融着された網体を筒状に巻いて、網体の重なった両側端を接合してなる筒状網体であって、
網体の一側端の縦糸を部分的に切断して係止部を形成し、この係止部を網体の他側端の網目に係止させて網体の両側端を接合したことを特徴とする筒状網体。
【請求項２】
係止部が、網体の一側端の縦糸を上下３本の横糸の相互間で切断して形成した横Ｔ字状または十字状の係止部であることを特徴とする請求項１に記載の筒状網体。
【請求項３】
係止部が、網体の一側端の縦糸を上下４本の横糸の相互間で切断して形成した上下一対の横Ｔ字状または十字状の係止部であり、この上下一対の横Ｔ字状または十字状の係止部を網体の他側端の一つの網目に挿入して係止させたことを特徴とする請求項１に記載の筒状網体。
【請求項４】
筒状に巻いた網体の一側端を他側端の内側に重ね、係止部を網体の他側端の網目に外側から挿入して係止させたことを特徴とする請求項１ないし請求項３のいずれかに記載の筒状網体。
【発明の詳細な説明】
【０００１】
【発明の属する技術分野】
本発明は、獣害防止用として、或は、園芸用として、好適に使用される合成樹脂製の筒状網体に関し、更に詳しくは、結束線等を一切使用することなく、筒状に巻いた網体の両側端を簡単に接合できる便利な筒状網体に関する。
【０００２】
【従来の技術】
従来から、幼木を合成樹脂製の筒状網体で取り囲み、幼木を野生動物の食害から保護することが行われている。このような獣害防止用の筒状網体は、その現場で合成樹脂製の網体を筒状に巻き、網体の重なった両側端を結束線等で結ぶことによって作製されている。
【０００３】
【発明が解決しようとする課題】
しかしながら、従来の筒状網体のように、現場で筒状に巻いた網体の両側端を結束線等で結ぶ作業は面倒であり、かなりの手間がかかるという問題があった。そのため、結束線等を使用しなくても簡単に網体の両側端を接合できる筒状網体の開発が望まれているが、現在のところ、そのような便利な筒状網体は未開発の状態である。
【０００４】
本発明は上記の事情に鑑みてなされたもので、その目的とするところは、結束線等を一切使用しないで、筒状に巻いた網体の両側端を簡単に接合できるように工夫した便利な筒状網体を提供することにある。
【０００５】
【課題を解決するための手段】
上記目的を達成するため、本発明の筒状網体は、合成樹脂の縦糸と横糸がその交点で融着された網体を筒状に巻いて、網体の重なった両側端を接合してなる筒状網体であって、網体の一側端の縦糸を部分的に切断して係止部を形成し、この係止部を網体の他側端の網目に係止させて網体の両側端を接合したことを特徴とする。
【０００６】
このような筒状網体は、網体の一側端に形成した係止部を他側端の網目に係止させるだけで、結束線等を一切使用することなく、簡単に網体の両側端を接合することができる。しかも、係止部は、網体の一側端の縦糸を部分的に切断するだけで形成できるため、係止部の形成に手間がかかることもない。
【０００７】
係止部としては、網体の一側端の縦糸を上下３本の横糸の相互間で切断して形成した横Ｔ字状または十字状の係止部や、網体の一側端の縦糸を上下４本の横糸の相互間で切断して形成した上下一対の横Ｔ字状または十字状の係止部が好ましく、特に、上下一対の横Ｔ字状または十字状の係止部を網体の他側端の一つの網目に挿入して係止させると、筒状に巻いた網体の両側端を強固に接合することができる。
【０００８】
また、本発明の筒状網体においては、筒状に巻いた網体の一側端を他側端の内側に重ね、係止部を網体の他側端の網目に外側から挿入して係止させることが好ましい。このようにすると、網体の一側端と係止部とによって網体の他側端を内外から挟持した状態で一層強固に接合することができる。
【０００９】
【発明の実施の形態】
以下、図面を参照して本発明の具体的な実施形態を詳述する。
【００１０】
図１は本発明の一実施形態に係る筒状網体の概略斜視図、図２は同筒状網体を展開した一部拡大平面図、図３は同筒状網体の拡大部分斜視図である。
【００１１】
この筒状網体は、図１に示すように、合成樹脂の縦糸１と横糸２がその交点で融着された方形の網目３を有する網体Ｎを円筒状に巻いて、網体Ｎの重なった両側端を分離しないように接合したものである。
【００１２】
この筒状網体は、円筒状に巻いた網体Ｎの両側端の接合手段として、図２に示すような十字状の係止部４を形成したところに大きい特徴を有する。この係止部４は、網体Ｎの一側端の縦糸１ａを上下３本の横糸２ａ，２ｂ，２ｃの相互間で切断することにより形成されたもので、中間の横糸２ｂと切断分離された縦糸分離部分１ｂとからなる十字状の係止部である。縦糸分離部分１ｂは、網目３の一辺の長さより少し長くなるように切断されており、後述するように、この係止部４を網目３に挿入して係止すると、網目３から抜け出さないようになっている。このような十字状の係止部４は、網体４の一側端に沿って複数箇所に形成されている。
【００１３】
この実施形態の筒状網体は、上記の網体Ｎを円筒状に巻回し、図３に示すように、係止部４の形成された網体Ｎの一側端を網体Ｎの他側端の内側に重ねると共に、係止部４を網体Ｎの他側端の網目３に外側から挿入して、係止部４の縦糸分離部分１ｂを網目３の横糸２，２に内側から係止させることにより、網体Ｎの両側端を分離しないように接合したものである。従って、従来の筒状網体のように結束線等を用いて網体Ｎの両側端を結付ける面倒な作業が全く不要となるので、現場で簡単に円筒状に接合して幼木等を取り囲み、野生動物の食害から幼木等を保護することができる。
【００１４】
上記のように網体Ｎの一側端を網体Ｎの他側端の内側に重ね、係止部４を網体Ｎの他側端の網目３に外側から挿入して係止させると、網体Ｎの一側端と係止部４とによって網体Ｎの他側端を内外から挟持した状態で強固に接合することができる。
【００１５】
網体Ｎの網目３の大きさや、縦糸１及び横糸２の太さについては特に限定されないが、係止部４の挿入のし易さや係止強度（接合強度）などを考慮すると、網目３の一辺の長さは１０〜５０ｍｍ程度であることが望ましく、縦糸１及び横糸２の太さは１〜５ｍｍ程度であることが望ましい。網目３の一辺の長さが１０ｃｍより短くなると、係止部４の網目３への挿入がし辛くなり、糸の太さが１ｍｍより細くなると、係止部４が変形して網目３から外れやすくなる。一方、網目３の一辺の長さが５０ｍｍを越えると、小動物が網目３から侵入しやすくなり、糸の太さが５ｍｍを越えると、係止部４の剛性が強くなるため係止部４を曲げながら網目３に挿入して係止させる作業がし辛くなる。
【００１６】
図４は本発明の他の実施形態に係る筒状網体の概略斜視図、図５は同筒状網体を展開した一部拡大平面図、図６は同筒状網体の拡大部分斜視図である。
【００１７】
この筒状網体は、図５に示すように、両側端の縦糸１ａから突き出す横糸２を切断してトリミングを施した網体Ｎを使用し、該網体Ｎの一側端の縦糸１ａを上下３本の横糸２ａ，２ｂ，２ｃの相互間で切断することによって、中間の横糸２ｂと切断分離された縦糸分離部分１ｂからなる横Ｔ字状の係止部４０を形成し、図４及び図６に示すように、この横Ｔ字状の係止部４０を筒状に巻いた網体Ｎの他側端の網目３に外側から挿入して、係止部４０の縦糸分離部分１ｂを網目３の横糸２，２に内側から係止させることにより、網体Ｎの両側端を分離しないように接合したものである。その他の構成は、前述の図１，図２，図３に示す筒状網体と同様であるので、図４，図５、図６において同一部材に同一符号を付し、説明を省略する。このような筒状網体も、前述した筒状網体と同様の効果を有することは言うまでもない。
【００１８】
図７は本発明の更に他の実施形態に係る筒状網体を展開した一部拡大平面図、図８は同筒状網体の拡大部分斜視図である。
【００１９】
この実施形態に係る網体Ｎ１  は、一側端の縦糸１ａを上下４本の横糸２ａ，２ｂ，２ｃ，２ｄの相互間で切断して上下一対の横Ｔ字状の係止部４０，４０を形成したもので、上側の係止部４０は横糸２ｂと切断分離された縦糸分離部分１ｂからなり、下側の係止部４０は横糸２ｃと切断分離された縦糸分離部分１ｃからなる。これら係止部４０，４０の縦糸分離部分１ｂ，１ｃはいずれも、網目３の一辺の長さより若干長くなるように切断されている。そして、この上下一対の係止部４０，４０は、網体Ｎの一側端に沿って複数箇所に形成されている。
【００２０】
この実施形態の筒状網体は、上記の網体Ｎ１  を円筒状に巻回し、図８に示すように、上下一対の係止部４０，４０の形成された網体Ｎ１  の一側端を網体Ｎ１  の他側端の内側に重ねると共に、上下一対の係止部４，４を網体Ｎ１  の他側端の一つの網目３に外側から挿入して、係止部４０，４０の縦糸分離部分１ｂ，１ｃを該網目３の横糸２，２に内側から係止させることにより、網体Ｎ１  の両側端を分離しないように接合したものである。この筒状網体の他の構成は、前述した筒状網体と同様であるので、説明を省略する。
【００２１】
このような筒状網体は、網体両側端の接合作業が簡単である上に、上下一対の係止部４０，４０によって強固に接合することができ、しかも、内側に重ねた網体Ｎ１  の一側端と上下一対の係止部４０，４０とによって網体Ｎ１  の他側端を内外から挟持するため一層強固に接合することができる。
【００２２】
尚、網体Ｎ１  として、横糸２が両側の縦糸１ａから突き出したトリミングされてない網体を使用し、上記と同様に一側端の縦糸１ａを上下４本の横糸２ａ，２ｂ，２ｃ，２ｄの相互間で切断して上下一対の十字状の係止部４，４を形成しても、同様に簡単且つ強個に接合することができる。
【００２３】
以上、代表的な実施形態を挙げて本発明の筒状網体を説明したが、本発明はこれらの実施形態のみに限定されるものではなく、網体一側端の縦糸を切断して種々の形状の係止部を形成し、該係止部を網体他側端の網目に挿入、係止して構成される全ての筒状網体を包含するものである。
【００２４】
【発明の効果】
本発明の筒状網体は、網体の一側端に形成した係止部を他側端の網目に係止させるだけで、結束線等を一切使用することなく、簡単に網体の両側端を接合することができ、係止部の形成も縦糸の切断により極く簡単に行うことができるといった顕著な効果を奏する。従って、網体を展開した状態で運搬し、現場で作業性良く筒状網体にして幼木等を取り囲むように設置することにより、幼木等を野生動物の食害から保護することができる。
【図面の簡単な説明】
【図１】本発明の一実施形態に係る筒状網体の概略斜視図である。
【図２】同筒状網体を展開した一部拡大平面図である。
【図３】同筒状網体の拡大部分斜視図である。
【図４】本発明の他の実施形態に係る筒状網体の概略斜視図である。
【図５】同筒状網体を展開した一部拡大平面図である。
【図６】同筒状網体の拡大部分斜視図である。
【図７】本発明の更に他の実施形態に係る筒状網体を展開した一部拡大平面図である。
【図８】同筒状網体の拡大部分斜視図である。
【符号の説明】
１  縦糸
１ａ  網体の一側端の縦糸
１ｂ，１ｃ  切断された縦糸分離部分
２，２ａ，２ｂ，２ｃ，２ｄ  横糸
３  網目
４  十字状の係止部
４０  横Ｔ字状の係止部
【図１】
2004154065.tif 000003
【図２】
2004154065.tif 000004
【図３】
2004154065.tif 000005
【図４】
2004154065.tif 000006
【図５】
2004154065.tif 000007
【図６】
2004154065.tif 000008
【図７】
2004154065.tif 000009
【図８】
2004154065.tif 000010